(57)【要約】      （修正有）【課題】自転車のダウンチューブ又はシートチューブの台座固定用穴を有効に利用して、保持させられるようにした自転車用ワイヤー錠を提供する。【解決手段】ワイヤー部１、ワイヤー部１を保持するワイヤー保持部２、及び取付具３からなり、取付具３は、ワイヤー保持部２とダウンチューブ４又はシートチューブ５に設けられた台座固定用穴６との間に介在して、ワイヤー保持部２をダウンチューブ４又はシートチューブ５上に固定するようにしている。ワイヤー保持部２が、上壁２０、下壁及び周壁２１を有する箱状のものであり、取付具３が、ワイヤー保持部２の上壁２０及び下壁を貫通して台座固定用穴６に螺合するネジであるものとしたり、取付具３が、上面側にワイヤー保持部２と適宜の物を保持できるようにしたホルダーが固定された台座、及びホルダーと台座を貫通して台座固定用穴６に螺合するネジからなるものとすることができる。【選択図】図１
0003162835.tif 000002
【実用新案登録請求の範囲】
【請求項１】
ワイヤー部（１）、ワイヤー部（１）を保持するワイヤー保持部（２）、及び取付具（３）からなり、取付具（３）は、ワイヤー保持部（２）とダウンチューブ（４）又はシートチューブ（５）に設けられた台座固定用穴（６）との間に介在して、ワイヤー保持部（２）をダウンチューブ（４）又はシートチューブ（５）上に固定するようにしていることを特徴とする自転車用ワイヤー錠。
【請求項２】
ワイヤー保持部（２）が、上壁（２０）、下壁及び周壁（２１）を有する箱状のものであり、取付具（３）が、ワイヤー保持部（２）の上壁（２０）及び下壁を貫通して台座固定用穴（６）に螺合するネジである請求項１記載の自転車用ワイヤー錠
【請求項３】
取付具（３）が、上面側にワイヤー保持部（２）と適宜の物を保持できるようにしたホルダー（８）が固定された台座（３０）、及びホルダー（８）と台座（３０）を貫通して台座固定用穴（６）に螺合するネジ（３１）からなる請求項１記載の自転車用ワイヤー錠。
【考案の詳細な説明】
【技術分野】
【０００１】
この考案は、自転車の盗難を防止するための自転車用ワイヤー錠に関するものである。
【背景技術】
【０００２】
従来、自転車用ワイヤー錠を、非使用時に、前籠内に固定したホルダーに保持させるようにしたものがある（特許文献１参照）。これは、非使用時のワイヤー錠を前籠内に安全に保持させることができるものであるが、前籠の収容スペースが小さくなる、前籠のない自転車には適用できないなどの問題があった。
【０００３】
一方、自転車のダウンチューブ又はシートチューブには、台座固定用穴が設けられたものがあり、これをペットボトル等の飲料容器用のホルダーや空気入れを取り付けるために利用できるようになっているが、それ以外に有効に利用されてはいなかった。
【先行技術文献】
【特許文献】
【０００４】
【特許文献１】特開２００４−３１４９１１号公報
【考案の概要】
【考案が解決しようとする課題】
【０００５】
そこで、この考案は、自転車のダウンチューブ又はシートチューブの台座固定用穴を有効に利用して、保持させられるようにした自転車用ワイヤー錠を提供することを課題とする。
【課題を解決するための手段】
【０００６】
前記課題を解決するため、この考案は次のような技術的手段を講じている。
【０００７】
この考案の自転車用ワイヤー錠は、ワイヤー部１、ワイヤー部１を保持するワイヤー保持部２、及び取付具３からなり、取付具３は、ワイヤー保持部２とダウンチューブ４又はシートチューブ５に設けられた台座固定用穴６との間に介在して、ワイヤー保持部２をダウンチューブ４又はシートチューブ５上に固定するようにしている。
【０００８】
さらに、ワイヤー保持部２が、上壁２０、下壁及び周壁２１を有する箱状のものであり、取付具３が、ワイヤー保持部２の上壁２０及び下壁を貫通して台座固定用穴６に螺合するネジであるものとすることができる。
【０００９】
また、取付具３が、上面側にワイヤー保持部２と適宜の物を保持できるようにしたホルダー８が固定された台座３０、及びホルダー８と台座３０を貫通して台座固定用穴６に螺合するネジ３１からなるものとすることができる。
【考案の効果】
【００１０】
この考案の自転車用ワイヤー錠は、上述のような構成を有しており、自転車のダウンチューブ４又はシートチューブ５の台座固定用穴６を有効に利用して、ワイヤー部１をワイヤー保持部２内に保持させることができる。
【図面の簡単な説明】
【００１１】
【図１】第１実施形態の自転車用ワイヤー錠の斜視図である。
【図２】第１実施形態の自転車用ワイヤー錠の、閂の出没に関する説明図である。
【図３】第２実施形態の自転車用ワイヤー錠の断面図である。
【図４】第３実施形態の自転車用ワイヤー錠のワイヤー部及びワイヤー保持部の説明図である。
【図５】第３実施形態の自転車用ワイヤー錠の台座の斜視図である。
【図６】第３実施形態の自転車用ワイヤー錠の台座とワイヤー保持部の後方からの斜視図である。
【図７】自転車のダウンチューブ及びシートチューブ付近の斜視図である。
【考案を実施するための形態】
【００１２】
以下、この考案の好適な実施形態を、図面を参照して説明する。
【００１３】
〔第１実施形態〕
図１、図２に示した第１実施形態の自転車用ワイヤー錠は、ワイヤー部１と、ワイヤー部１を内部に保持するワイヤー保持部２と、ダウンチューブ４又はシートチューブ５に設けられた台座固定用穴６を利用してワイヤー保持部２を取り付けるための取付具３を有するものである。
【００１４】
ワイヤー部１は、両端にリング状部１０を有する金属製のワイヤーとしており、施錠機構を有さないものとしている。なお、この実施形態では、後述の通り、ワイヤー保持部２に施錠機構を設けて、ワイヤー部１を保持するようにしている。
【００１５】
ワイヤー保持部２は、上壁２０、下壁及び周壁２１を有する箱状のものとしている。上壁２０及び下壁は、全体的に丸みがあり、一端側が大きくなった形状で、周壁２１は上壁２０及び下壁の周囲に沿って設けられている。ワイヤー保持部２の一端側の周壁２１には開口部が設けられているとともに、この開口部を塞ぐ蓋２２が回動可能に設けられている。非使用時のワイヤー部１は、図１に示したように巻回状態にしてワイヤー保持部２の開口部から内部に収容され、ワイヤー部１を使用するときは、蓋２２を開けて開口部から取り出される。
【００１６】
ワイヤー保持部２には、ダウンチューブ４又はシートチューブ５に設けられた台座固定用穴６に対応する位置に、上壁２０及び下壁を貫通する孔２３が２つ設けられている。また、ワイヤー保持部２には、内部の施錠機構（図示せず）に連動する閂２４が設けられている。
【００１７】
閂２４は、周壁２１に設けた孔２５から出没する両椀部２６，２７を有する形状のものであり、反対側の周壁２１に設けられた鍵穴２８に差し込んだ鍵７で内部の施錠機構を操作することにより出没し、最大に突出したときに一方の椀部２６が孔２５から抜けて、ワイヤー部１のリング状部１０に通すことができるようになっている。そして、閂２４を押し込むと、施錠状態となってワイヤー部１のリング状部１０が閂２４から離脱できない状態となる。なお、閂２４は、ダイヤル錠により施錠できるようにしてもよい。施錠機構は、使用時のワイヤー部１をワイヤー保持部２から勝手に取り外すことができないようにできるものであればよく、上記態様のものに限定されない。
【００１８】
取付具３は、ワイヤー保持部２の前記孔２３から上壁２０及び下壁を貫通して台座固定用穴６に螺合するネジである。ネジは、その頭部が前記貫通孔の径より大きく、上壁２０の上に露出した状態（図示せず）でワイヤー保持部２を固定する。
【００１９】
ワイヤー部１を使用するときには、ワイヤー保持部２から取り出したワイヤー部１の一端のリング状部１０を閂２４に通した状態で、ワイヤー部１を車輪のスポーク間に通したり、その他の物に掛かるようにしたりし、そして他端のリング状部１０を閂２４に通し、閂２４を施錠状態にすることで、ワイヤー錠として機能させることができる。
【００２０】
この自転車用ワイヤー錠は、ダウンチューブ４又はシートチューブ５上のスペースを有効に利用しつつ、非使用時のワイヤー部１を外部に露出しないようにワイヤー保持部２内に収容できるため、ワイヤー部１が何かに引っ掛かったりせず、自転車の走行中の安全が保たれる。なお、ワイヤー保持部２は、箱状ではなく、周囲にワイヤー部１を巻き付けられるような構成のものとしてもよい。
【００２１】
〔第２実施形態〕
図３に示した第２実施形態は、取付具３が、上面側にワイヤー保持部２と適宜の物を保持できるようにしたホルダー８が固定された台座３０、及びホルダー８と台座３０を貫通して台座固定用穴６に螺合するネジ３１からなるものである。この実施形態では、ワイヤー部１を保持するワイヤー保持部２は、図４に示したように、前後各壁を円形とし、周壁２１に開口部と、この開口部を塞ぐ蓋２２を回動可能に設け、内部にワイヤー部１を巻き取ることができるようにしている。
【００２２】
取付具３の台座３０は、図５、図６に示したように細板状で、後端部側にワイヤー保持部２の保持部３００を設けている。前記保持部３００は、ワイヤー保持部２の底に形成された穴（図示せず）に進入して回り止めとなる掛止凸部３０１と、その左右においてワイヤー保持部２を抱え込むようにした左右の腕部３０２，３０３と、ワイヤー保持部２の後壁２９に対向する後板部３０４からなり、後板部３０４の前後には、ワイヤー保持部２の後壁２９の中央の凹部２９ａに嵌合するボタン３０５と、ボタン３０５を操作するための摘み３０６がそれぞれ設けられている。
【００２３】
台座３０は金属製で、台座固定用穴６に螺合するネジ３１を通すための孔３０７を有している。左右の腕部３０２，３０３は、ワイヤー保持部２の前側に一部被さるようにしたフランジ３０８を有しており、ワイヤー保持部２が前方へ抜けることを防止できるようにしている。
【００２４】
前記ボタン３０５と摘み３０６は、後板部３０４に設けられた孔を貫通する軸の両端に取り付けられ、前記ボタン３０５は、後板部３０４の前側に配置されたバネ３０９により前方に付勢されており、摘み３０６を後方に引くと、ボタン３０５がバネ３０９に抗して後方に移動し、ワイヤー保持部２の後壁２９の中央の凹部２９ａから外れて、ワイヤー保持部２を台座３０から取り外すことができるようになっている。
【００２５】
ワイヤー部１は、一端がギボシ状の係合部１１となっており、ワイヤー保持部２に設けられた差し込み穴（図示せず）にこの一端を挿入すると、内部の施錠機構により施錠状態となり、差し込み穴に係合した状態のまま保持されるようになっている。この状態は、ワイヤー保持部２の前壁に設けられた鍵穴２８に鍵を差し込んで操作することにより、解除することができる。なお、ダイヤル錠により施錠できるようにしてもよい。
【００２６】
台座３０の前記ワイヤー保持部２の保持部３００より前方は、ホルダー８が固定される領域として使用される。ホルダー８は、容量５００ｍｌのペットボトルを保持するのに適した大きさ、形状のものとすることができる。例えば、ペットボトルの底から３分の２程度の高さまでの周囲を覆う、籠状や筒状のものとすることができる。また、ホルダー８は、空気入れを保持するものとすることもできる。
【００２７】
ホルダー８の周壁８０には、台座固定用穴６に螺合するネジ３１を通すための孔８１が設けられており、前記台座３０の孔３０７と一致させて、ネジ３１により台座３０とホルダー８を一体的に固定できるようになっている。
【００２８】
この第２実施形態のワイヤー錠は、ワイヤー部１と飲料容器の両方をダウンチューブ４又はシートチューブ５付近に保持することができ、一層、スペースを有効利用することができる。
【００２９】
なお、第１実施形態、第２実施形態のいずれも、図７に示したような、ダウンチューブ４又はシートチューブ５に設けられた台座固定用穴６を利用することができる。
【００３０】
以上がこの考案の好適な実施形態であるが、この考案は上述の実施形態の構成に限定されるものではなく、形状、寸法、材質等を適宜変更して実施することができる。
【符号の説明】
【００３１】
１  ワイヤー部
２  ワイヤー保持部
２０  上壁
２１  周壁
３  取付具
３０  台座
３１  ネジ
４  ダウンチューブ
５  シートチューブ
６  台座固定用穴
８  ホルダー
【図１】
0003162835.tif 000003
【図２】
0003162835.tif 000004
【図３】
0003162835.tif 000005
【図４】
0003162835.tif 000006
【図５】
0003162835.tif 000007
【図６】
0003162835.tif 000008
【図７】
0003162835.tif 000009